(57)【特許請求の範囲】
【請求項１】
空気の流れを作り出すためのファンアセンブリであって、
空気入口と、
空気出口と、
羽根車と、
前記空気入り口から前記空気出口まで通る空気流を作り出すために前記羽根車を回転させるためのモータとを有し、
前記空気出口は、空気流を受け取るための内部通路及び空気流を放出するための口部を含み、
前記空気出口は、ファンアセンブリの外側からの空気が前記口部から放出される空気流によって引き込まれる開口部を構成し、
前記モータを制御するための制御回路と、
制御信号を前記制御回路に送信するためのリモコンと、
前記リモコンを前記空気出口に取り付けるためのシステムとを有し、
前記リモコンは、凹状外面を有し、
前記空気出口は、前記リモコンが前記空気出口に取り付けられているとき、前記リモコンの凹状外面に対向する凸状外面を有する、
ことを特徴とするアセンブリ。
【請求項２】
前記リモコンの前記凹状外面は、前記空気出口の前記凸状外面の曲率半径と実質的に同じ曲率半径を有することを特徴とする請求項１に記載のファンアセンブリ。
【請求項３】
前記リモコンの前記凹状外面は、ユーザインタフェースを含むことを特徴とする請求項１又は請求項２に記載のファンアセンブリ。
【請求項４】
前記リモコンは、前記凹状外面に対向して位置する凸状外面を含むことを特徴とする請求項１〜３のいずれか１項に記載のファンアセンブリ。
【請求項５】
前記リモコンの前記凸状外面は、前記リモコンの前記凹状外面の曲率半径と実質的に同じ曲率半径を有することを特徴とする請求項４に記載のファンアセンブリ。
【請求項６】
前記リモコンを前記空気出口に取り付けるためのシステムは、前記リモコンを前記空気出口に取り付けるための磁気手段を有する、ことを特徴とする請求項１〜５のいずれか１項に記載のファンアセンブリ。
【請求項７】
前記磁気手段は、前記リモコンを前記空気出口の上部部分に取り付けるように配置されることを特徴とする請求項６に記載のファンアセンブリ。
【請求項８】
前記磁石手段は、前記リモコンの凹状外面の下方に位置する少なくとも１つの磁石を有する、ことを特徴とする請求項６又は７に記載のファンアセンブリ。
【請求項９】
前記空気出口は、前記口部の前記内側通路を形成する環状内側ケース部及び環状外側ケーシングを有する、ことを特徴とする請求項１又は２に記載のファンアセンブリ。
【請求項１０】
前記口部は、前記内側ケーシング区画の外面と前記外側ケーシング区画の内面の間に位置する出口を含むことを特徴とする請求項９に記載のファンアセンブリ。
【請求項１１】
前記出口は、スロットの形態であることを特徴とする請求項１０に記載のファンアセンブリ。
【請求項１２】
前記出口は、０．５ｍｍから５ｍｍの範囲の幅を有することを特徴とする請求項１０又は請求項１１に記載のファンアセンブリ。
【発明の詳細な説明】
【技術分野】
【０００１】
本発明は、ファンアセンブリに関する。好ましい実施形態では、本発明は、部屋、オフィス、又は他の家庭内環境において空気の流れを作り出すための台座型ファンのような家庭用ファンに関する。
【背景技術】
【０００２】
従来の家庭用ファンは、典型的には、軸の周りで回転するように装着された１組のブレード又はベーンと、空気流を発生させる１組のブレードを回転させるための駆動装置とを含む。空気流の移動及び循環は、「風冷」又はそよ風を作り出し、その結果、ユーザは、熱が対流及び蒸発を通して消散される時の冷却効果を体験する。
そのようなファンは、様々なサイズ及び形状で利用可能である。例えば、天井ファンは、少なくとも１ｍの直径とすることができ、通常、天井から吊り下げ方式で装着されて部屋を冷却する空気の下降流を提供する。他方、卓上ファンは、多くの場合、約３０ｃｍの直径であり、通常、自立式及び携帯式である。床置型台座型ファンは、一般的に、駆動装置を支持する高さ調節可能台座と、通常は３００から５００リットル／ｓの範囲の空気流を発生させるための１組のブレードとを含む。
【先行技術文献】
【特許文献】
【０００３】
【特許文献１】特開平５−２６３７８６号公報
【特許文献２】特開平６−２５７５９１号公報
【非特許文献】
【０００４】
【非特許文献１】Ｒｅｂａ、サイエンティフィック・アメリカン、２１４巻、１９６３年６月、８４−９２ページ
【発明の概要】
【発明が解決しようとする課題】
【０００５】
このタイプの配置の欠点は、ファンの回転ブレードによって生成された空気流が、一般的に均一でない点である。これは、ファンのブレード面にわたる又は外向き面にわたる変動によるものである。これらの変動の程度は、生成する製品によって異なり、かつ個々の扇風機によってさえも異なる可能性がある。これらの変動は、不均等な又は「不安定な」空気流の発生をもたらし、これは、一連の空気のパルスとして感じることができ、かつユーザに対して心地よくない可能性がある。
【０００６】
家庭内環境では、家電製品の部品が外向きに突出するか、又はユーザがブレードのようないずれかの可動部品に触れることができるのは望ましくない。台座型ファンは、回転ブレードと接触することによる損傷を防止するためにブレードを取り囲むケージを有する傾向があるが、そのようなケージ部品は、洗浄することが困難である可能性がある。更に、台座の最上部への駆動装置及び回転ブレードの装着により、台座型ファンの重心は、通常台座の最上部の方向に位置する。これは、ユーザに対して望ましくない場合がある比較的広い又は重い基部が台座に設けられない限り、誤ってぶつかった場合に台座型ファンを倒れやすくする可能性がある。
【０００７】
台座型ファンの作動を制御するためのリモコンを設けることは、例えば、特開平５−２６３７８６号公報及び特開平６−２５７５９１号公報から公知である。リモコンを用いてファンのスイッチを入れたり切ったりし、ファンのブレードの回転速度を制御することができる。台座型ファンの基部には、台座型ファンが使用中でない時にリモコンを格納するためのドッキングステーション又はハウジングを設けることができる。しかし、そのようなドッキングステーションの存在は、台座型ファンの物理的外観を損なう可能性があり、ファンの位置、及び台座型ファンの周囲の家具又は他の物体の品目の近さに応じて接近し難い場合がある。
【課題を解決するための手段】
【０００８】
第１の態様では、本発明は、空気の流れを作り出すためのファンアセンブリを提供し、ファンアセンブリは、空気入口と、空気出口と、羽根車と、空気入口から、空気流を受け取るための内部通路及び空気流を放出するための口部を含み、かつファンアセンブリの外側からの空気が口部から放出される空気流によって引き込まれる開口部を形成する空気出口まで通る空気流を作り出すように羽根車を回転させるためのモータと、モータを制御するための制御回路と、制御信号を制御回路に送信するためのリモコンと、リモコンを空気出口に取り付けるための磁気手段とを含む。
【０００９】
リモコンを空気出口に取り付けることにより、リモコンの利便性は、リモコンがファンの基部にドッキングされる公知の台座型ファンに比較して改良することができる。更に、リモコンを保持するためのドッキングステーション又はハウジングの要件は、リモコンを空気出口に取り付けるための磁気手段の使用によって回避され、空気出口が均一な外観を有することを可能にする。
【００１０】
磁気手段は、好ましくは、リモコンを空気出口から取り外すのに必要な力が２Ｎ未満、より好ましくは、１Ｎ未満であるように配置される。例えば、この力は、０．２５から１Ｎの範囲とすることができる。これは、リモコンが空気出口から切り離される時にファンアセンブリが変位する可能性を最小にすることができる。リモコンへの接近し易さを更に改良するために、磁気手段は、好ましくは、リモコンを空気出口の上部部分に引き付けるように配置される。
【００１１】
ファンアセンブリは、好ましくは、ブレードなしファンアセンブリである。ブレードなしファンアセンブリの使用により、空気の流れは、ブレード付きファンを使用せずに発生させることができる。ブレード付きファンアセンブリに比較して、ブレードなしファンアセンブリは、可動部品及び複雑性の両方の低減をもたらす。更に、ファンアセンブリから空気の流れを放出するためのブレード付きファンの使用なしに、比較的均一な空気の流れが発生して部屋内に又はユーザの方向に誘導することができる。空気の流れは、空気出口から効率的に移動して出ることができ、エネルギ及び速度を乱流に殆ど損失しない。
【００１２】
用語「ブレードなし」は、空気流が可動ブレードを使用せずにファンアセンブリから前方に排出されるか又は放出されるファンアセンブリを説明するのに用いられる。その結果、ブレードなしファンアセンブリは、ユーザに又は部屋内に誘導される空気流が出る可動ブレードがない放出区域又は放出ゾーンを有すると考えることができる。ブレードなしファンアセンブリの放出区域には、ポンプ、発生器、モータ、又は他の流体移送デバイスのような様々な異なる供給源の１つによって発生する１次空気流を供給することができ、これには、空気流を発生させるためのモータ回転子及び／又はブレード付き羽根車のような回転デバイスを含むことができる。発生した１次空気流は、ファンアセンブリの外側の部屋空間又は他の環境から空気出口までファンアセンブリを通過し、次に、空気出口の口部を通って出て部屋空間に戻ることができる。
従って、ブレードなしとしてのファンアセンブリの説明は、電源及び２次ファン機能に必要なモータのような構成要素の説明にまで拡張することは意図していない。２次ファン機能の例は、ファンアセンブリの照明、調節、及び首振りを含むことができる。
【００１３】
ファンアセンブリの空気出口の形状は、ブレード付きファンのための空間を含む要件によって制約されない。好ましくは、空気出口は、開口部を取り囲む。空気出口は、２００から６００ｍｍの範囲、より好ましくは、２５０から５００ｍｍの範囲の高さを有する環状空気出口とすることができ、リモコンは、好ましくは、環状空気出口の凸状の外面に取り付け可能である。
空気出口が凸状外面を含む場合、リモコンは、好ましくは、リモコンが磁気手段によって空気出口に取り付けられる時に空気出口の凸状外面に面する凹状外面を含む。これは、リモコンが空気出口上に位置する時にリモコンの安定性を改良することができる。リモコンの安定性を更に改良するために、リモコンの凹状外面の曲率半径は、好ましくは、空気出口の凸状外面の曲率半径よりも大きくない。リモコンが空気出口に取り付けられる時のファンアセンブリの外観は、リモコンをそれが凹状外面に対向して位置する凸状外面を有するように成形することによって高めることができる。リモコンのこの凸状外面は、空気出口の凸状外面の曲率半径と実質的に同じ曲率半径を有することもできる。
【００１４】
リモコンのユーザインタフェースは、好ましくは、ユーザインタフェースが、リモコンが空気出口に取り付けられた時に隠れるように、リモコンの凹状外面上に位置する。これは、リモコンがファンアセンブリに取り付けられた時に、ユーザインタフェースとの不注意な接触によるファンアセンブリの偶然の作動を防止することができる。ユーザインタフェースは、モータの起動及び羽根車の回転速度、及び／又はタッチスクリーンのようなファンアセンブリの作動を制御するために押し下げられる複数のユーザ作動可能ボタンを含むことができる。
【００１５】
リモコンを空気出口に取り付けるための磁気手段は、リモコンの凹状外面の下に位置する少なくとも１つの磁石を含むことができる。好ましい実施形態では、リモコンは、リモコンの両側の方向に位置する１対の磁石を含む。
好ましくは、空気出口の口部は、開口部の周りに延び、かつ環状であることが好ましい。空気出口は、好ましくは、空気出口の口部を形成する内側ケーシング区画及び外側ケーシング区画を含む。各区画は、好ましくは、それぞれの環状部材から形成されるが、各区画は、互いに接続されるか又はそうでなく組み立てられてその区画を形成する複数の部材によって設けることができる。
【００１６】
外側ケーシング区画の少なくとも一部は、リモコン内に位置する磁石が取り付けられる磁性材料から形成することができる。例えば、外側ケーシング区画の上部部分は、例えば、鋼から形成することができ、一方、外側ケーシング区画の残りの部分は、アルミニウム又はプラスチック材料のようなより廉価な非磁性材料から形成することができる。
代替的に、磁気手段は、リモコンに位置する１つ又は複数の磁石を引き付けるための空気出口に位置する少なくとも１つの磁石を含むことができる。例えば、空気出口は、空気出口の周りに角度的に離間した少なくとも２つの磁石を含むことができる。これらの磁石間の間隔は、好ましくは、リモコンに位置する磁石間の間隔と実質的に同じである。
【００１７】
空気出口に位置する１つ又は複数の磁石は、少なくとも部分的に空気出口の内部通路内に位置することができる。外部ケーシング区画には、少なくとも１つの磁石を保持するためにその内面上に配置された少なくとも１つの磁石ハウジングを設けることができる。例えば、その又は各ハウジングは、外側ケーシング区画の内面から内向きに延びる１対の弾性壁を含むことができ、壁の最内端部は、壁間に挿入されている磁石を保持するように成形される。磁石ハウジングは、外側ケーシング区画の内面の周りに周方向に延びることができ、かつ複数の角度的に離間した磁石を受け取るように配置することができる。代替的に、複数の磁石ハウジングは、外側ケーシング区画の内面の周りに角度的に離間することができ、各磁石ハウジングは、それぞれの磁石を保持するように配置される。
【００１８】
外側ケーシング区画は、好ましくは、部分的に内側ケーシング区画と重なるように成形される。これは、口部の出口が、空気出口の内側ケーシング区画の外面及び外側ケーシング区画の内面の重なり部分間に形成されることを可能にすることができる。出口は、好ましくは、スロットの形態であり、好ましくは、０．５から５ｍｍの範囲の幅を有する。空気出口は、空気出口の内側ケーシング区画及び外側ケーシング区画の重なり部分を離すように強く押すための複数のスペーサを含むことができる。これは、開口部の周りに実質的に均一な出口幅を維持するように機能することができる。スペーサは、好ましくは、出口に沿って均等に離間している。
【００１９】
内部通路は、好ましくは、連続的であり、より好ましくは、環状であり、好ましくは、空気流を開口部の周囲で反対方向に流れる２つの空気流に分けるように成形される。内部通路はまた、好ましくは、空気出口の内側ケーシング区画及び外側ケーシング区画によって形成される。
ファンアセンブリは、好ましくは、空気の流れが円弧にわたって、好ましくは、６０から１２０°の範囲で吹かれるように空気出口を首振りさせる手段を含む。例えば、ファンアセンブリは、空気出口が接続した基部の上部部分を基部の下部部分に対して首振りさせる手段を有する基部を含むことができる。制御回路は、リモコンから受信した信号に応答して空気出口を首振りさせる手段を起動するように配置することができる。
【００２０】
基部は、好ましくは、モータ、羽根車、及び制御回路を収容する。羽根車は、好ましくは、混合流羽根車である。モータは、好ましくは、従来型のブラシモータに用いるブラシからの摩擦損失及び炭素デブリを回避するＤＣブラシレスモータである。炭素デブリ及び放出物の減少は、病院又はアレルギーを有するものの周囲のような清浄な又は汚染物質敏感な環境において有利である。一般的に台座型ファンに用いられる誘導モータもブラシはないが、ＤＣブラシレスモータは、誘導モータよりも遥かに広範囲の作動速度を提供することができる。
【００２１】
空気出口は、好ましくは、口部に隣接して位置する表面を含み、更に、口部は、そこから放出される空気流を誘導するように配置される。この表面は、好ましくは、「コアンダ」面であり、空気出口の内側ケーシング区画の外面は、好ましくは、コアンダ面を形成するように成形される。コアンダ面は、好ましくは、開口部の周りに延びている。コアンダ面は、表面の近くの放出オリフィスを出た流体流れが「コアンダ」効果を示すタイプの表面である。流体は、表面に近接して、殆ど表面に「密着する」か又は「沿って」その上を流れる傾向がある。「コアンダ」効果は、１次空気流がコアンダ面の上で誘導される既に証明されて十分立証された同伴方法である。コアンダ面の特徴の説明及びコアンダ面の上の流体流れの効果は、Ｒｅｂａ、サイエンティフィック・アメリカン、２１４巻、１９６３年６月、８４−９２ページのような論文に見出すことができる。コアンダ面の使用により、ファンアセンブリの外側からの空気の増加した量が、口部から放出される空気により開口部を通って引き込まれる。
【００２２】
好ましい実施形態では、ファンアセンブリによって作り出された空気流は、空気出口に入る。以下の説明では、この空気流を１次空気流と呼ぶ。１次空気流は、空気出口の口部から放出され、コアンダ面の上を通過する。１次空気流は、１次空気流及び同伴空気の両方をユーザに供給する空気増幅器として作用する空気出口の口部を取り囲む空気を同伴する。同伴空気は、本明細書で以下では２次空気流と呼ぶ。２次空気流は、空気出口の口部を取り囲む部屋空間、領域、又は外部環境から、及び変位によってファンアセンブリの周囲の他の領域から引き込まれ、大部分は空気出口によって形成された開口部を通過する。同伴された２次空気流と組み合わされてコアンダ面にわたって誘導される１次空気流は、空気出口によって形成された開口部から前方へ排出又は放出された総空気流に等しい。好ましくは、空気出口の口部を取り囲む空気の同伴は、滑らかな全体の放出を維持しながら１次空気流が少なくとも５倍、より好ましくは、少なくとも１０倍増幅されるようなものである。
好ましくは、空気出口は、コアンダ面の下流に位置するディフューザ面を含む。空気出口の内側ケーシング区画の外面は、好ましくは、ディフューザ面を形成するように成形される。
【００２３】
ファンアセンブリは、タワー型ファンの形態にすることができる。代替的に、ファンアセンブリは、台座型ファンの形態にすることができ、従って、基部は、空気出口に接続された調節可能台座の一部を形成することができる。台座は、空気流を空気出口に搬送するためのダクトを含むことができる。従って、台座は、ファンアセンブリによって作り出された空気流が放出される空気出口を支持し、かつ作り出された空気流を空気出口に搬送するその両方の働きをすることができる。台座の底部に向かうモータ及び羽根車の位置は、ブレード付きファン及びブレード付きファンのための駆動装置が台座の最上部に接続された従来技術の台座型ファンに比較して、ファンアセンブリの重心を下げることができ、それによってぶつかった場合でもファンアセンブリが倒れる傾向を少なくする。
【００２４】
リモコンは、磁石以外の手段により、例えば、リモコンを空気出口に固定するための機械的手段を通じて空気出口に取り付けることができる。第２の態様では、本発明は、空気の流れを作り出すためのファンアセンブリを提供し、ファンアセンブリは、空気入口と、空気出口と、羽根車と、空気入口から、空気流を受け取るための内部通路及び空気流を放出するための口部を含み、かつファンアセンブリの外側からの空気が口部から放出される空気流によって引き込まれる開口部を形成する空気出口まで通る空気流を作り出すために羽根車を回転させるためのモータと、モータを制御するための制御回路と、制御信号を制御回路に送信するためのリモコンと、リモコンを空気出口に取り付けるためのシステムとを含み、リモコンは、凹状外面を含み、空気出口は、リモコンが空気出口に取り付けられた時にリモコンの凹状外面に面する凸状外面を含む。
本発明の第１の態様に関連する上述の特徴は、本発明の第２の態様に等しく適用可能であり、逆も同じである。
ここで、本発明の実施形態を添付の図面を参照して単に一例として以下に説明する。
【図面の簡単な説明】
【００２５】
【図１】ファンアセンブリの伸縮性ダクトが完全に延びた構成にあるファンアセンブリの斜視図である。
【図２】ファンアセンブリの伸縮性ダクトが後退位置にある図１のファンアセンブリの別の斜視図である。
【図３】図１のファンアセンブリの台座の基部の断面図ある。
【図４】図１のファンアセンブリの伸縮性ダクトの分解組立図である。
【図５】完全に延びた構成の図４のダクトの側面図である。
【図６】図５の線Ａ−Ａに沿ったダクトの断面図である。
【図７】図５の線Ｂ−Ｂに沿ったダクトの断面図である。
【図８】下部管状部材の一部を切り取った完全に延びた構成の図４のダクトの斜視図である。
【図９】ダクトの様々な部分を取り外した図８の一部の拡大図である。
【図１０】後退構成の図４のダクトの側面図である。
【図１１】図１０の線Ｃ−Ｃに沿ったダクトの断面図である。
【図１２】図１のファンアセンブリのノズルの分解組立図である。
【図１３】図１２のノズルの正面図である。
【図１４】図１３の線Ｐ−Ｐに沿ったノズルの断面図である。
【図１５】図１４に示す区域Ｒの拡大図である。
【図１６】図１２のノズルの側面図である。
【図１７】図１６の線Ａ−Ａに沿ったノズルの断面図である。
【図１８】図１７に示す区域Ｚの拡大図である。
【図１９】図１のファンアセンブリを制御するためのリモコンの斜視図である。
【図２０】図１９のリモコンの端面図である。
【図２１】外側ケーシング区画を取り外した図１９のリモコンの斜視図である。
【発明を実施するための形態】
【００２６】
図１及び図２は、ファンアセンブリ１０の実施形態の斜視図を示している。この実施形態では、ファンアセンブリ１０は、ブレードなしファンアセンブリであり、高さ調節可能台座１２とファンアセンブリ１０から空気を放出するために台座１２上に装着されたノズル１４の形態の空気出口とを含む家庭用台座型ファンの形態にある。台座１２は、基部１６と、１次空気流を基部１６からノズル１４に搬送するために基部１６から上方に延びる伸縮性ダクト１８とを含む。
【００２７】
台座１２の基部１６は、実質的に円筒形の下部ケーシング部分２２上に装着された実質的に円筒形のモータケーシング部分２０を含む。モータケーシング部分２０及び下部ケーシング部分２２は、好ましくは、モータケーシング部分２０の外面が下部ケーシング部分２２の外面と実質的に同じ平面上にあるように実質的に同じ外径を有する。下部ケーシング部分２２は、任意的に、円板状床板２４上に装着され、ファンアセンブリ１０の作動を制御するための複数のユーザ作動可能ボタン２６及びユーザ作動可能ダイヤル２８を含む。基部１６は、この実施形態では、モータケーシング部分２０に形成された開口部の形態にあり、１次空気流が外部環境から基部１６に引き込まれる複数の空気入口３０を更に含む。この実施形態では、台座１２の基部１６は、２００から３００ｍｍの範囲の高さを有し、モータケーシング部分２０は、１００から２００ｍｍの範囲の直径を有する。床板２４は、好ましくは、２００から３００ｍｍの範囲の直径を有する。
【００２８】
台座１２の伸縮性ダクト１８は、図１に示すような完全に延びた構成と図２に示すような後退構成との間で移動可能である。ダクト１８は、ファンアセンブリ１０の基部１２上に装着された実質的に円筒形の基部３２を含み、その外側管状部材３４は、基部３２に接続されて基部３２から上方に延び、その内側管状部材３６は、部分的に外側管状部材３４内に位置する。コネクタ３７は、ノズル１４をダクト１８の内側管状部材３６の開放上端に接続する。内側管状部材３６は、図１に示すような完全に延びた位置と図２に示すような後退位置との間で外側管状部材３４に対して及びその内部で摺動自在である。内側管状部材３６が完全に延びた位置にある時に、ファンアセンブリ１０は、好ましくは、１２００から１６００ｍｍの範囲の高さを有するのに対して、内側管状部材３６が後退位置にある時に、ファンアセンブリ１０は、好ましくは、９００から１３００ｍｍの範囲の高さを有する。ファンアセンブリ１０の高さを調節するために、ユーザは、ノズル１４が望ましい垂直位置にあるように必要に応じて上方又は下方のいずれかに内側管状部材３６の露出部分を把持して内側管状部材３６を摺動させることができる。内側管状部材３６がその後退位置にある時に、ユーザは、コネクタ３７を把持して内側管状部材３６を上方に引っ張ることができる。
【００２９】
ノズル１４は、開口部３８を形成するために中心軸Ｘの周りに延びる環状形状を有する。ノズル１４は、ファンアセンブリ１０から開口部３８を通って１次空気流を放出するためにノズル１４の後部の方向に位置する口部４０を含む。口部４０は、開口部３８の周りに延びて好ましくは同じく環状である。ノズル１４の内周は、口部４０に隣接して位置するコアンダ面４２を含み、この上で、口部４０は、ファンアセンブリ１０、コアンダ面４２の下流に位置するディフューザ面４４、及びディフューザ面４４の下流に位置するガイド面４６から放出される空気を誘導する。ディフューザ面４４は、ファンアセンブリ１０から放出される空気の流れを補助するような方法で開口部３８の中心軸Ｘから離れる方向にテーパ付きになるように配置される。ディフューザ面４４と開口部３８の中心軸Ｘとの間を定める角度は、５から２５°の範囲内であり、この例では約７°である。ガイド面４６は、ディフューザ面４４にある一定の角度で配置され、ファンアセンブリ１０からの冷却空気流の効率的な送出を更に補助する。ガイド面４６は、好ましくは、開口部３８の中心軸Ｘに対して実質的に平行に配置され、口部４０から放出される空気流に対して実質的に平坦な及び実質的に滑らかな面を呈する。視覚的に魅力的なテーパ付き面４８は、ガイド面４６から下流に位置し、開口部３８の中心軸Ｘに対して実質的に垂直に位置する先端面５０で終端する。テーパ付き面４８と開口部３８の中心軸Ｘとの間を定める角度は、好ましくは、約４５°である。この実施形態では、ノズル１４は、４００から６００ｍｍの範囲の高さを有する。
【００３０】
図３は、台座１２の基部１６を通る断面図を示している。基部１６の下部ケーシング部分２２は、図１及び図２に示すユーザ作動可能ボタン２６の押し下げ、及び／又はユーザ作動可能ダイヤル２８の操作に応答してファンアセンブリ１０の作動を制御するための全体を符号５２で示す制御回路を収容する。下部ケーシング部分２２は、以下により詳細に説明するリモコン２５０から制御信号を受信するための及びこれらの制御信号を制御回路５２に搬送するためのセンサ５４を任意的に含むことができる。これらの制御信号は、好ましくは、赤外線信号である。センサ５４は、制御信号が基部１６の下部ケーシング部分２２に入る窓５５の背後に位置する。発光ダイオード（図示せず）は、ファンアセンブリ１０が待機モードにあるか否かを示すために設けることができる。
【００３１】
下部ケーシング部分２２はまた、基部１６の下部ケーシング部分２２に対して基部１６のモータケーシング部分２０を首振りさせるための全体を符号５６で示す機構を収容する。首振り機構５６の作動は、ここでもまた、ユーザ作動可能ボタン２６の１つの押し下げか又はリモコン２５０から適切な制御信号を受信する時に応答する制御回路５２によって制御される。首振り機構５６は、下部ケーシング部分２２からモータケーシング部分２０に延びる回転可能シャフト５６ａを含む。シャフト５６ａは、シャフト５６ａがスリーブ５６ｂに対して回転することを可能にするように軸受によって下部ケーシング部分２２に接続されたスリーブ５６ｂ内に支持される。シャフト５６ａの一端は、環状接続板５６ｃの中心部分に接続されるのに対し、接続板５６ｃの外側部分は、モータケーシング部分２０の基部に接続される。これは、モータケーシング部分２０が下部ケーシング部分２２に対して回転することを可能にする。首振り機構５６はまた、下部ケーシング部分２２の上部部分に対してモータケーシング部分２０の基部を首振りさせる全体を符号５６ｄで示すクランクアーム機構を作動させる下部ケーシング部分２２内に位置するモータ（図示せず）を含む。１つの部分を別の部分に対して首振りさせるためのクランクアーム機構は公知であり、従って、ここでは説明しないことにする。下部ケーシング部分２２に対するモータケーシング部分２０の各首振りサイクルの範囲は、好ましくは、６０°から１２０°、及びこの実施形態では約９０°である。この実施形態では、首振り機構５６は、１分間当たり約３から５の首振りサイクルを実施するように配置される。主電源５８は、電力をファンアセンブリ１０に供給するために下部ケーシング部分２２に形成された開口を貫通して延びている。
【００３２】
モータケーシング部分２０は、一連の開口６２が台座１２の基部１６の空気入口３０を設けるように形成された円筒格子６０を含む。モータケーシング部分２０は、１次空気流を開口６２を通して基部１６に吸い込むための羽根車６４を収容する。好ましくは、羽根車６４は、混合流羽根車の形態である。羽根車６４は、モータ６８から外向きに延びる回転シャフト６６に接続される。この実施形態では、モータ６８は、ダイヤル２８のユーザ操作及び／又はリモコン２５０から受信した信号に応答して制御回路５２により可変可能である速度を有するＤＣブラシレスモータである。モータ６８の最大速度は、好ましくは、５、０００から１０、０００ｒｐｍの範囲内である。モータ６８は、下部部分７２に接続された上部部分７０を含むモータバケット内に収容される。モータバケットの上部部分７０は、螺旋状ブレードを有する固定ディスクの形態のディフューザ７４を含む。モータバケットは、モータケーシング部分２０に接続されたほぼ円錐台形の羽根車ハウジング７６内に位置し、かつその上に装着される。羽根車６４及び羽根車ハウジング７６は、羽根車６４が羽根車ハウジング７６の内面の近くにあるがこれと接触しないように成形される。実質的に環状の入口部材７８は、１次空気流を羽根車ハウジング７６に誘導するための羽根車ハウジング７６の底部に接続される。
【００３３】
好ましくは、台座１２の基部１６は、基部１６からのノイズ放出を低下させるための消音発泡体を更に含む。この実施形態では、基部１６のモータケーシング部分２０は、格子６０の下に位置する第１のほぼ円筒形の発泡部材８０と、羽根車ハウジング７６と入口部材７８の間に位置する第２の実質的に環状の発泡部材８２と、モータバケット内に位置する第３の実質的に環状の発泡部材８４とを含む。
【００３４】
ここで、台座１２の伸縮性ダクト１８を図４から図１１を参照してより詳細に説明する。ダクト１８の基部３２は、実質的に円筒形の側壁１０２と、側壁１０２に対して実質的に直角であって好ましくはこれと一体化された環状上面１０４とを含む。側壁１０２は、好ましくは、基部１６のモータケーシング部分２０と実質的に同じ外径を有し、側壁１０２の外面が、ダクト１８が基部１６に接続された時に基部１６のモータケーシング部分２０の外面と実質的に同一平面にあるように成形される。基部３２は、１次空気流をダクト１８の外側管状部材３４に搬送するために上面１０４から上方に延びる比較的短い空気管１０６を更に含む。空気管１０６は、好ましくは、側壁１０２と実質的に同軸にあり、ダクト１８の外側管状部材３４の内径よりも僅かに小さい外径を有し、空気管１０６をダクト１８の外側管状部材３４に完全に挿入することを可能にする。複数の軸線方向に延びるリブ１０８は、ダクト１８の外側管状部材３４と締り嵌めを形成するために空気管１０６の外面上に位置し、それによって外側管状部材３４を基部３２に固定することができる。環状密封部材１１０は、空気管１０６の上端にわたって位置し、外側管状部材３４と空気管１０６の間に気密シールを形成する。
【００３５】
ダクト１８は、ディフューザ７４から放出された１次空気流を空気管１０６に誘導するためのドーム形空気誘導部材１１４を含む。空気誘導部材１１４は、基部１６から１次空気流を受け取るための開放下端１１６と、１次空気流を空気管１０６に搬送するための開放上端１１８とを有する。空気誘導部材１１４は、ダクト１８の基部３２内に収容される。空気誘導部材１１４は、基部３２及び空気誘導部材１１４上に位置する連動スナップ式コネクタ１２０によって基部３２に接続される。第２の環状密封部材１２１は、基部３２と空気誘導部材１１４の間に気密シールを形成するように開放上端１１８の周りに位置する。図３に示すように、空気誘導部材１１４は、例えば、空気誘導部材１１４及び基部１６のモータケーシング部分２０上に位置する連動スナップ式コネクタ１２３又はネジ山付きコネクタにより、基部１６のモータケーシング部分２０の開放上端に接続される。従って、空気誘導部材１１４は、ダクト１８を台座１２の基部１６に接続する働きをする。
【００３６】
複数の空気誘導ベーン１２２は、ディフューザ７４から放出された螺旋空気流を空気管１０６に誘導するための空気誘導部材１１４の内面上に位置する。この例では、空気誘導部材１１４は、空気誘導部材１１４の内面の周りに均等に離間した７つの空気誘導ベーン１２２を含む。空気誘導ベーン１２２は、空気誘導部材１１４の開放上端１１８の中心で交わり、従って、１次空気流のそれぞれの部分を空気管１０６に誘導するための空気誘導部材１１４の各々に複数の空気チャンネル１２４を形成する。特に図４を参照すると、７つの半径方向空気誘導ベーン１２６が、空気管１０６内に位置している。これらの半径方向空気誘導ベーン１２６の各々は、実質的に空気管１２６の全長に沿って延び、空気誘導部材１１４が基部３２に接続された時に空気誘導ベーン１２２のそれぞれのものに隣接する。半径方向空気誘導ベーン１２６は、従って、空気管１０６内に複数の軸線方向に延びる空気チャンネル１２８を形成し、この各々は、空気誘導部材１１４内の空気チャンネル１２４のそれぞれのものから１次空気流のそれぞれの部分を受け取り、かつこれは、１次流れのその部分を空気管１０６を通して軸線方向に搬送し、ダクト１８の外側管状部材３４に入れる。従って、ダクト１８の基部３２及び空気誘導部材１１４は、ディフューザ７４から放出された螺旋空気流を外側管状部材３４及び内側管状部材３６を通ってノズル１４に流れる軸線方向空気流に変換する働きをする。第３の環状密封部材１２９は、ダクト１８の空気誘導部材１１４と基部３２の間に気密シールを形成するために設けることができる。
【００３７】
円筒上部スリーブ１３０は、上部スリーブ１３０の上端１３２が外側管状部材３４の上端１３４と同じ高さにあるように、例えば、接着剤を用いて又は締り嵌めによって外側管状部材３４の上部部分の内面に接続される。上部スリーブ１３０は、内側管状部材３６の外径よりも僅かに大きく、内側管状部材３６が上部スリーブ１３０を貫通することを可能にする内径を有する。第３の管状密封部材１３６は、内側管状部材３６で気密シールを形成するために上部スリーブ１３０上に位置する。第３の管状密封部材１３６は、外側管状部材３４の上端１３２と係合して上部スリーブ１３０と外側管状部材３４の間に気密シールを形成する環状リップ１３８を含む。
【００３８】
円筒下部スリーブ１４０は、内側管状部材３６の下端１４２が下部スリーブ１４０の上端１４４と下端１４６の間に位置するように、例えば、接着剤を用いて又は締り嵌めによって内側管状部材３６の下部部分の外面に接続される。下部スリーブ１４０の上端１４４は、実質的に上部スリーブ１３０の下端１４８と同じ外径を有する。従って、内側管状部材３６の完全に延びた位置で、下部スリーブ１４０の上端１４４は、上部スリーブ１３０の下端１４８に当接し、それによって内側管状部材３６が外側管状部材３４から完全に引き抜かれるのを防止する。内側管状部材３６の後退位置では、下部スリーブ１４０の下端１４６は、空気管１０６の上端に当接する。
【００３９】
主バネ１５０は、図７に示すようにダクト１８の下部スリーブ１４０の内向きに延びるアーム１５４間に回転可能に支持された車軸１５２の回りに巻かれる。図８を参照すると、主バネ１５０は、上部スリーブ１３０の外面と外側管状部材３４の内面との間に固定的に位置する自由端１５６を有する鋼ストリップを含む。その結果、主バネ１５０は、内側管状部材３６が、図５及び図６に示すような完全に延びた位置から図１０及び図１１に示すような後退位置に下げられると、車軸１５２からほどかれる。主バネ１５０内に蓄積された弾性エネルギは、外側管状部材３４に対して内側管状部材３６のユーザ選択位置を維持するための釣合い錘として作用する。
【００４０】
外側管状部材３４に対する内側管状部材３６の移動に対する付加抵抗は、下部スリーブ１４０の周りに周方向に延びる環状溝１６０内に位置する好ましくはプラスチック材料から形成されたバネ装填式弓状バンド１５８によってもたらされる。図７及び図９を参照すると、バンド１５８は、下部スリーブ１４０の周りで完全に延びず、従って、２つの相対する端部１６１を含む。バンド１５８の各端部１６１は、下部スリーブ１４０に形成された開口１６２内に受け取られる半径方向内側部分１６１ａを含む。圧縮バネ１６４が、バンド１５８の端部１６１の半径方向内側部分１６１ａ間に位置し、バンド１５８の外面を外側管状部材３４の内面に対して押し付け、それによって外側管状部材３４に対する内側管状部材３６の移動に抵抗する摩擦力を増加させる。
【００４１】
バンド１５８は、この実施形態では、バンド１５８の外面上に軸線方向に延びる溝１６７を形成して圧縮バネ１６４に対向して位置する溝付き部分１６６を更に含む。バンド１５８の溝１６７は、外側管状部材３４のその内面の長さに沿って軸線方向に延びる隆起リブ１６８の上に位置する。溝１６７は、内側管状部材３６と外側管状部材３４の間の相対回転を抑制するように実質的に隆起リブ１６８と同じ角度幅及び半径方向深さを有する。
【００４２】
ここで、ファンアセンブリ１０のノズル１４を図１２から図１８を参照して説明する。ノズル１４は、環状内側ケーシング区画２０２に接続されてこの周りに延びる環状外側ケーシング区画２００を含む。これらの区画の各々は、複数の接続した部分から形成することができるが、この実施形態では、外側ケーシング区画２００及び内側ケーシング区画２０２の各々は、それぞれの単一成形部分から形成される。内側ケーシング区画２０２は、ノズル１４の中心開口部３８を形成し、コアンダ面４２、ディフューザ面４４、ガイド面４６、及びテーパ付き面４８を形成するように成形された外周面２０３を有する。
【００４３】
特に図１３から図１５を参照すると、外側ケーシング区画２００及び内側ケーシング区画２０２は、一緒にノズル１４の環状内部通路２０４を形成する。従って、内部通路２０４は、開口部３８の周りに延びている。内部通路２０４は、外側ケーシング区画２００の内周面２０６及び内側ケーシング区画２０２の内周面２０８によって境界付けられる。外側ケーシング区画２００の基部は、開口２１０を含む。ノズル１４をダクト１８の内側管状部材３６の開放上端１７０に接続するコネクタ３７は、開口２１０内に固定的に位置し、１次空気流が伸縮性ダクト１８から内部通路２０４に入る円形開口を含む上板３７ａを含む。コネクタ３７は、内側管状部材３６の開放上端１７０を通って少なくとも部分的に挿入されてコネクタの上板３７ａに接続された空気管３７ｂを更に含む。空気管３７ｂは、コネクタ３７の上板３７ａに形成された円形開口と実質的に同じ内径を有する。可撓性ホース３７ｃは、これらの間に気密シールを形成するために空気管３７ｂと上板３７ａの間に位置する。
【００４４】
ノズル１４の口部４０は、ノズル１０の後部の方向に位置する。口部４０は、それぞれ外側ケーシング区画２００の内周面２０６及び内側ケーシング区画２０２の外周面２０３の重なった又は向かい合った部分２１２、２１４によって形成される。この例では、口部４０は、実質的に環状であり、図１５に示すように、正反対にノズル１４を貫通する線に沿って分割された時に実質的にＵ字形断面を有する。この例では、外側ケーシング区画２００の内周面２０６及び内側ケーシング区画２０２の外周面２０３の重なった部分２１２、２１４は、口部４０が、１次流れをコアンダ面４２の上に誘導するように配置された出口２１６の方向にテーパ付きになるように成形される。出口２１６は、好ましくは、０．５から５ｍｍの範囲の比較的一定の幅を有する環状スロットの形態である。この例では、出口２１６は、０．５から１．５ｍｍの範囲の幅を有する。スペーサ２１８が、外側ケーシング区画２００の内周面２０６及び内側ケーシング区画２０２の外周面２０３の重なった部分２１２、２１４を離すように押し付けるために口部４０の周りで離間して配置され、望ましいレベルに出口２１６の幅を維持することができる。これらのスペーサは、外側ケーシング区画２００の内周面２０６又は内側ケーシング区画２０２の外周面２０３のいずれかと一体化することができる。
【００４５】
ここで図１２及び図１６から図１８を参照すると、ノズル１４はまた、リモコン２５０をノズル１４に取り付けるための１対の磁石２２０を含む。各磁石２２０は、実質的に円筒形であり、外側ケーシング区画２００の内周面２０６上に配置されたそれぞれの磁石ハウジング２２２内に保持される。磁石ハウジング２２２は、外側ケーシング区画２００の内周面２０６の周りで周方向に離間している。図１８に最も明瞭に示すように、磁石ハウジング２２２は、ノズル１４の垂直対称平面Ｓから等しく離間している。各磁石ハウジング２２２は、外側ケーシング区画２００の内周面２０６から内向きに突出する１対の湾曲弾性壁２２４を含む。壁２２４は、磁石ハウジング２２２の内径が磁石２２０の外径よりも僅かに大きいように成形される。外側ケーシング区画２００の内周面２０６から遠隔の壁２２４の遠位端２２６は、壁２２４に対して半径方向内向きに突出する。磁石２２０が、壁２２４の遠位端２２６によって形成された開口２２８を通って磁石ハウジング２２２に押し込まれる時に、壁２２４は、外向きに偏向して磁石２２０が磁石ハウジング２２２に入ることを可能にし、磁石２２０が、完全に磁石ハウジング２２２内に位置する時に、壁２２４は、磁石２２０が壁２２４の遠位端２２６によって磁石ハウジング２２２内に保持されるように緩和する。磁石２２０が磁石ハウジング２２２内に位置する時に、磁石２２０は、少なくとも部分的にノズル１４の内部通路２０４内に位置する。
【００４６】
図１３および図１６は、リモコン２５０がノズル１４に取り付けられた時のリモコン２５０を示すのに対し、図１９から図２１は、リモコン２５０をより詳細に示している。リモコン２５０は、前面２５４と、後面２５６と、各々が前面２５４と後面２５６の間に延びる２つの湾曲側壁２５８とを有する外側ハウジング２５２を含む。前面２５４は、凹状であり、後面２５６は、凸状である。前面２５４の曲率半径は、後面２５６の曲率半径と実質的に同じであり、好ましくは、外側ケーシング区画２００の外周面２２８の曲率半径よりも小さいか又はこれに等しい。
【００４７】
リモコン２５０は、ユーザがファンアセンブリ１０の作動を制御することを可能にするためのユーザインタフェースを含む。この例では、ユーザインタフェースは、ユーザによって押し下げ可能であってハウジング２５２の前面２５４に形成されたそれぞれの窓を通じて各々接近可能である複数のボタンを含む。リモコン２５０は、ユーザインタフェースのボタンの１つの押し下げに応答して赤外線制御信号を発生かつ送信する図１８及び図２１に全体を符号２６０で示す制御ユニットを含む。制御ユニット２６０は、大部分は従来型であり、従って、本明細書では詳細に説明しない。赤外線信号は、リモコン２５０の一端に位置する窓２６２から放出される。制御ユニット２６０は、保持機構２６８によって外側ハウジング２５２に解除可能に保持されたバッテリハウジング２６６内に位置するバッテリ２６４で作動する。
【００４８】
ユーザインタフェースの第１のボタン２７０は、ファンアセンブリ１０に対するオン／オフボタンであり、このボタンの押し下げに応答して、制御ユニット２６０は、ファンアセンブリ１０の制御ユニット５２に命令する信号を送信し、その電流状態に応じてモータ６８を起動するか又は起動解除する。ユーザインタフェースの第２のボタン２７２は、ユーザがモータ６８の回転速度を制御することを可能にし、それによってファンアセンブリ１０によって発生する空気流を制御する。第２のボタン２７２の第１の側２７２ａの押し下げに応答して、制御ユニット２６０は、ファンアセンブリ１０の制御ユニット５２に命令する信号を送信してモータ６８の速度を低減し、一方、第２のボタン２７２の第２の側２７２ｂの押し下げに応答して、制御ユニット２６０は、ファンアセンブリ１０の制御ユニット５２に命令する信号を送信してモータ６８の速度を増大させる。ユーザインタフェースの第３のボタン２７４は、首振り機構５６に対するオン／オフボタンであり、このボタンの押し下げに応答して、制御ユニット２６０は、ファンアセンブリ１０の制御ユニット５２に命令する信号を送信し、その電流状態に応じて首振り機構５６を起動するか又は起動解除する。モータ６８が、この第３のボタン２７４が押し下げられた時に非作動である場合、制御ユニット５２は、首振り機構５６及びモータ６８を同時に起動するように配置することができる。
【００４９】
リモコン２５０の外側ハウジング２５２は、好ましくは、プラスチック材料から形成され、従って、リモコン２５０は、リモコン２５０をノズル１４に取り付けることができるように、ノズル１４の磁石２２０に取り付けられた少なくとも１つの磁石を含む。この例では、リモコン２５０は、リモコン２５０のそれぞれの側の方向に配置された磁石ハウジング２７８内に各々位置する１対の磁石２７６を含む。図１６から１８を参照すると、リモコン２５０の磁石２７６間の間隔は、ノズル１４の磁石２２０間の間隔と実質的に同じである。磁石２７６は、リモコン２５０がノズル１４の上面上に位置する時に、リモコン２５０が、そのリモコン２５０がノズル１４の前又は後縁のいずれかを超えて突出しないような位置に保持されるように位置する。これは、リモコン２５０がノズル１４から誤って取り除かれる可能性を低減する。磁石２７６の極性は、リモコン２５０の凹状の前面２５４が、リモコン２５０がノズル１４に取り付けられた時にノズル１４の外側区画２００の外周面２２８に面するように選択される。これは、リモコン２５０がノズル１４に取り付けられた時にユーザインタフェースのボタンの誤った作動を抑制することができる。
磁石２２０、２７６間の磁力は、好ましくは、２Ｎ未満、より好ましくは、０．２５から１Ｎの範囲であり、リモコンがその後空気出口から切り離される時にファンアセンブリが変位する可能性を最小にする。
【００５０】
ノズル１４及びリモコン２５０の両方における複数の離間した磁石の具備はまた、ノズル１４上のリモコン２５０に対して複数の角度的に離間した「ドッキング位置」をもたらす効果を有する。ノズル１４及びリモコン２５０の各々が２つの磁石を含むこの例では、この配置は、ノズル１４上のリモコン２５０に対して３つの角度的に離間したドッキング位置を設けることができる。リモコン２５０は、リモコン２５０の磁石２７６の各々がノズル１４の磁石２２０のそれぞれのものの上に位置する図１３及び図１６から図１８に示す第１のドッキング位置を有する。リモコン２５０はまた、第２のドッキング位置及び第３のドッキング位置を有し、その各々は、リモコン２５０の磁石２７６の１つのみがノズル１４の磁石２２０のそれぞれのものの上に位置する第１のドッキング位置のそれぞれの側に対して位置する。複数のドッキング位置の具備は、ユーザがリモコン２５０をノズル１４に取り付けるために位置決めする必要がある精度を低下させ、従って、ユーザに対してより便利であるとすることができる。
【００５１】
ファンアセンブリ１０を作動させるために、ユーザは、制御回路５２がモータ６８を起動させて羽根車６４を回転させるのに応答して、台座１２の基部１６上のボタン２６又はリモコン２５０上のボタン２６０のうちの適切な一方を押し下げる。羽根車６４の回転は、１次空気流が格子６０の開口６２を通って台座１２の基部１６に引き込まれるようにする。モータ６８の速度に応じて、１次空気流は、１秒間当たり２０から４０リットルとすることができる。１次空気流は、連続的に羽根車ハウジング７６及びディフューザ７４を通って流れる。ディフューザ７４のブレードの螺旋形態は、１次空気流を螺旋空気流の形態でディフューザ７４から排出させる。１次空気流は、空気誘導部材１１４に入り、湾曲空気誘導ベーン１２２は、１次空気流を複数の部分に分けて、１次空気流の各部分を伸縮性ダクト１８の基部３２の空気管１０６内の軸線方向に延びる空気チャンネル１２８のそれぞれのものの中に誘導する。１次空気流の各部分は、これらが空気管１０６から放出される時に融合して軸線方向空気流になる。１次空気流は、ダクト１８の外側管状部材３４及び内側管状部材３６を通って及びコネクタ３７を通って上方に流れ、ノズル１４の内部通路８６に入る。
【００５２】
ノズル１４内で、１次空気流は、ノズル１４の中心開口部３８の周囲で反対方向に流れる２つの空気流に分けられる。空気の流れが内部通路２０４を通って流れる時に、空気は、ノズル１４の口部４０に入る。口部４０への空気流は、好ましくは、ノズル１４の開口部３８の周りで実質的に均等である。口部４０内で、空気流の流れ方向は、実質的に逆になる。空気流は、口部４０のテーパ付き区画によって収縮し、出口２１６を通って放出される。
【００５３】
口部４０から放出された１次空気流は、ノズル１４のコアンダ面４２の上に誘導され、外部環境から、特に、口部４０の出口２１６の周囲の領域から及びノズル１４の後部の周囲からの空気の同伴によって２次空気流を発生させる。この２次空気流は、ノズル１４の中心開口部３８を通って流れ、２次空気流は、１次空気流と結合し、ノズル１４から前方に放出される総空気流、又は空気の流れを生成する。
【００５４】
ノズル１４の口部４０に沿った１次空気流の均等な分布は、空気流がディフューザ面４４上を均等に通過することを保証する。ディフューザ面４４は、空気流の平均速度を制御式膨張の領域を通して空気流を移動させることにより低減させる。開口部３８の中心軸Ｘに対するディフューザ面４４の比較的浅い角度は、空気流の膨張が徐々に起こることを可能にする。強い又は急激な発散は、そうでなければ空気流を崩壊させ、膨張領域において渦を発生させると考えられる。そのような渦は、空気流における乱流及び関連ノイズの増大をもたらす可能性があり、これは、特に、ファンのような家庭用製品において望ましくないとすることができる。ディフューザ面４４を超えて前方に放出された空気流は、発散し続ける傾向があるとすることができる。開口部３８の中心軸Ｘに対して実質的に平行に延びるガイド面４６の存在は、更に空気流を収束させる。その結果、空気流は、ノズル１４から効率的に出ることができ、ファンアセンブリ１０から数メートルの距離で空気流を迅速に体験することを可能にする。
【００５５】
本発明に関連する好ましい態様として、以下のものをあげることができる。
[１]  空気の流れを作り出すためのファンアセンブリであって、
空気入口と、
空気出口と、
羽根車と、
前記空気入口から、空気流を受け取るための内部通路及び該空気流を放出するための口部を含み、かつファンアセンブリの外側からの空気が該口部から放出される該空気流によって引き込まれる開口部を形成する前記空気出口まで通る空気流を作り出すために前記羽根車を回転させるためのモータと、
前記モータを制御するための制御回路と、
制御信号を前記制御回路に送信するためのリモコンと、
前記リモコンを前記空気出口に取り付けるための磁気手段と、
を含むことを特徴とするアセンブリ。
[２]  前記磁気手段は、前記リモコンを前記空気出口の上部部分に取り付けるように配置されることを特徴とする上記[１]に記載のファンアセンブリ。
[３]  前記磁気手段は、前記空気出口に位置する少なくとも１つの磁石を含むことを特徴とする上記[１]又は上記[２]に記載のファンアセンブリ。
[４]  前記少なくとも１つの磁石は、前記空気出口の周りに角度的に離間した少なくとも２つの磁石を含むことを特徴とする上記[３]に記載のファンアセンブリ。
[５]  前記少なくとも１つの磁石は、少なくとも部分的に前記空気出口の前記内部通路内に位置することを特徴とする上記[３]又は上記[４]に記載のファンアセンブリ。
[６]  前記空気出口は、前記内部通路及び前記口部を一緒に形成する環状内側ケーシング区画及び環状外側ケーシング区画を含み、
前記少なくとも１つの磁石は、前記外側ケーシング区画の内面上に配置されたハウジング内に位置する、
ことを特徴とする上記[３]から上記[５]のいずれかに記載のファンアセンブリ。
[７]  前記ハウジングは、壁の間に少なくとも１つの磁石を保持するために前記外側ケーシング区画の前記内面から内向きに延びる１対の弾性壁を含むことを特徴とする上記[６]に記載のファンアセンブリ。
[８]  前記外側ケーシング区画は、該外側ケーシング区画の前記内面の周りに角度的に離間した複数の前記ハウジングを含み、各ハウジングは、それぞれの磁石を保持するように配置されることを特徴とする上記[６]又は上記[７]に記載のファンアセンブリ。
[９]  前記空気出口は、前記内部通路及び前記口部を一緒に形成する環状内側ケーシング区画及び環状外側ケーシング区画を含み、
前記外側ケーシング区画の少なくとも一部は、磁性材料から形成される、
ことを特徴とする上記[１]又は上記[２]に記載のファンアセンブリ。
[１０]  前記口部は、前記内側ケーシング区画の外面と前記外側ケーシング区画の内面の間に位置する出口を含むことを特徴とする上記[６]から上記[９]のいずれかに記載のファンアセンブリ。
[１１]  前記出口は、スロットの形態であることを特徴とする上記[１０]に記載のファンアセンブリ。
[１２]  前記出口は、０．５から５ｍｍの範囲の幅を有することを特徴とする上記[１０]又は上記[１１]に記載のファンアセンブリ。
[１３]  前記リモコンは、凹状外面を含み、前記空気出口は、該リモコンが前記磁気手段によって該空気出口に取り付けられた時に該リモコンの該凹状外面に面する凸状外面を含むことを特徴とする上記[１]から上記[１２]のいずれかに記載のファンアセンブリ。
[１４]  前記リモコンの前記凹状外面は、前記空気出口の前記凸状外面の曲率半径と実質的に同じ曲率半径を有することを特徴とする上記[１３]に記載のファンアセンブリ。
[１５]  前記リモコンの前記凹状外面は、ユーザインタフェースを含むことを特徴とする上記[１３]又は上記[１４]に記載のファンアセンブリ。
[１６]  前記磁気手段は、前記リモコンの前記凹状外面の下に位置する少なくとも１つの磁石を含むことを特徴とする上記[１５]に記載のファンアセンブリ。
[１７]  前記リモコンは、前記凹状外面に対向して位置する凸状外面を含むことを特徴とする上記[１３]から上記[１６]のいずれかに記載のファンアセンブリ。
[１８]  前記リモコンの前記凸状外面は、該リモコンの前記凹状外面の曲率半径と実質的に同じ曲率半径を有することを特徴とする上記[１７]に記載のファンアセンブリ。
[１９]  前記磁気手段は、前記リモコンを前記空気出口から取り外すのに必要な力が２Ｎ未満、好ましくは、１Ｎ未満であるように配置されることを特徴とする上記[１]から上記[１８]のいずれかに記載のファンアセンブリ。
[２０]  前記羽根車と前記モータとを収容する基部を含むことを特徴とする上記[１]から上記[１９]のいずれかに記載のファンアセンブリ。
[２１]  前記空気入口は、前記基部の側壁に位置することを特徴とする上記[２０]に記載のファンアセンブリ。
[２２]  前記内部通路は、前記空気流を２つの空気の流れに分け、かつ各空気の流れを前記開口部のそれぞれの側面に沿って誘導するように成形されることを特徴とする上記[１]から上記[２１]のいずれかに記載のファンアセンブリ。
[２３]  前記モータは、ＤＣブラシレスモータであることを特徴とする上記[１]から上記[２２]のいずれかに記載のファンアセンブリ。
【符号の説明】
【００５６】
１０  ファンアセンブリ
１２  高さ調節可能台座
１４  ノズル
１６  基部
１８  伸縮性ダクト
【図１】
0005622875.tif 000002
【図２】
0005622875.tif 000003
【図３】
0005622875.tif 000004
【図４】
0005622875.tif 000005
【図５】
0005622875.tif 000006
【図６】
0005622875.tif 000007
【図７】
0005622875.tif 000008
【図８】
0005622875.tif 000009
【図９】
0005622875.tif 000010
【図１０】
0005622875.tif 000011
【図１１】
0005622875.tif 000012
【図１２】
0005622875.tif 000013
【図１３】
0005622875.tif 000014
【図１４】
0005622875.tif 000015
【図１５】
0005622875.tif 000016
【図１６】
0005622875.tif 000017
【図１７】
0005622875.tif 000018
【図１８】
0005622875.tif 000019
【図１９】
0005622875.tif 000020
【図２０】
0005622875.tif 000021
【図２１】
0005622875.tif 000022